(57)【要約】【課題】排出シート積載部にシートを整然と積載することができると共に、部材間の干渉を防止して装置を小型化することができるシート排出装置及び画像形成装置を提供する。【解決手段】画像形成装置本体１２形成された排出口３４から排出シート積載部１６へシートが排出される。排出口３４の近傍には押さえ手段６６が設けられ、この押さえ手段６６により排出されるシートが押えられ、シートのカールが矯正される。排出シート積載部１６を開くと、排出シート積載部１６が押さえ手段６６に当接するが、押さえ手段６６はスライドして後退するようになっている。【選択図】          図１
2004323131.tif 000002
【特許請求の範囲】
【請求項１】
排出口が形成された本体と、前記排出口から排出されたシートが積載される排出シート積載部と、前記排出口から排出シート積載部側へ少なくとも一部が突出し、前記排出シート積載部に排出されるシートを押える押さえ手段とを有し、この押さえ手段が前記本体に対してスライドして進退可能としたことを特徴とするシート排出装置。
【請求項２】
押さえ手段は、支軸を中心として可動自在であって、自重によってシートを押える押さえ部材を有することを特徴とする請求項１記載のシート排出装置。
【請求項３】
前記押さえ部材が所定角度で起立するように前記押さえ部材の回動を規制する規制手段が設けられたことを特徴とする請求項１又は２記載のシート排出装置。
【請求項４】
前記押さえ手段は、前記押さえ部材を回動自在に支持するスライド部材を有することを特徴とする請求項２又は３記載のシート排出装置。
【請求項５】
前記押さえ手段は、前記スライド部材を排出シート積載部側へ付勢する付勢手段が設けられていることを特徴とする請求項４記載のシート排出装置。
【請求項６】
前記スライド部材には、前記排出シート積載部に排出されるシートを案内するガイド部が設けられていることを特徴とする請求項４又は５記載のシート排出装置。
【請求項７】
排出口が形成された本体と、この本体に対して開閉自在に支持され、前記排出口から排出されたシートが積載される排出シート積載部と、前記排出口から排出シート積載部側へ少なくとも一部が突出し、前記排出シート積載部に排出されるシートを押える押さえ手段とを有し、前記排出シート積載部が開かれた場合に、前記排出シート積載部と前記押さえ手段とが干渉するのを防止するようにしたを特徴とするシート排出装置。
【請求項８】
前記本体に対してスライドして前記押さえ手段を進退可能にさせるようにしたことを特徴とする請求項７記載のシート排出装置。
【請求項９】
前記排出シート積載部に退避部が形成され、前記排出シート積載部が開かれた場合に、前記押さえ手段が前記退避部に入り込むようにしたことを特徴とする請求項７記載のシート排出装置。
【請求項１０】
排出口が形成された画像形成装置本体と、前記画像形成装置本体に対して着脱自在であるよう画像形成装置本体内に収容されたプロセスカートリッジと、前記プロセスカートリッジを前記画像形成装置本体内に脱着できるように前記画像形成装置本体に開閉自在に支持され、前記排出口から排出されたシートが積載される排出シート積載部と、前記排出口から排出シート積載部側へ少なくとも一部が突出し、前記排出シート積載部に排出されるシートを押える押さえ手段とを有し、前記排出シート積載部が開かれた場合に、前記排出シート積載部と前記押さえ手段とが干渉するのを防止するようにしたことを特徴とする画像形成装置。
【請求項１１】
排出口が正面方向に開口するように形成された画像形成装置本体と、前記画像形成装置本体に対して着脱自在であるよう画像形成装置本体内に収容されたプロセスカートリッジと、前記排出口近傍に回動中心を有し、前記プロセスカートリッジを前記画像形成装置本体内に脱着できるように前記画像形成装置本体に開閉自在に支持され、前記排出口から排出されたシートが積載される排出シート積載部と、前記排出口から排出シート積載部側へ少なくとも一部が突出し、前記排出シート積載部に排出されるシートを押える押さえ手段とを有し、前記排出シート積載部が開かれた場合に、前記排出シート積載部と前記押さえ手段とが干渉するのを防止するようにしたことを特徴とする画像形成装置。
【請求項１２】
排出口が正面方向に開口するように形成された画像形成装置本体と、この画像形成装置本体の正面から引き出し自在であるよう前記画像形成装置本体に装着された給紙カセットと、前記画像形成装置本体に対して着脱自在であるよう画像形成装置本体内に収容されたプロセスカートリッジと、前記排出口近傍に回動中心を有し、前記プロセスカートリッジを前記画像形成装置本体内に脱着できるように前記画像形成装置本体に開閉自在に支持され、前記排出口から排出されたシートが積載される排出シート積載部と、前記プロセスカートリッジの側方を横切り、前記給紙カセットからシートを前記排出シート積載部まで搬送する搬送路と、前記排出口から排出シート積載部側へ少なくとも一部が突出し、前記排出シート積載部に排出されるシートを押える押さえ手段とを有し、前記排出シート積載部が開かれた場合に、前記排出シート積載部と前記押さえ手段とが干渉するのを防止するようにしたことを特徴とする画像形成装置。
【発明の詳細な説明】
【０００１】
【発明の属する技術分野】
本発明は、シートを排出するシート排出装置及びシートに画像を形成する画像形成装置に関する。
【０００２】
【従来の技術】画像形成装置においては、画像が形成されたシートが排出シート積載部に排出され、この排出シート積載部に排出されたシートが排出シート積載部で積載される。画像形成される際、シートには熱や圧力を受け、排出シート積載部に排出されるシートがカールすることがある。このように、排出シート積載部に排紙されるシートにカールが生じると、シートが排出シート積載部に排出されたカールが生じた前のシートの下に潜り込んだり、前のシートを排出シート積載部から押し出し、排出シート積載部ではシートの積載に乱れを生じる。
【０００３】従来、排出シート積載部に新たに排出されたシートの後端付近を上から押えるウエイト部材を設け、シート後端に生じたカールを矯正するようにした画像形成装置は公知である（特許文献１参照）。
【０００４】
【特許文献１】特開平７−２７７５８１号公報
【０００５】
【発明が解決しようとする課題】
上記従来例においては、排出シート積載部が画像形成装置本体から突出している。このように排出シート積載部が画像形成装置本体から突出しているとその分だけ、画像形成装置の幅が大きくなる。そこで、排出シート積載部を画像形成装置本体に対して回動自在とする等、排出シート積載部を移動できるようにすることが考えられる。しかしながら、上記従来例においては、ウエイト部材が排出口から排出シート積載部側へ突出するように配置されているので、排出シート積載部を移動させると、排出シート積載部とウエイト部材とが干渉し、排出シート積載部の移動範囲を狭くし、最悪の場合は、排出シート積載部あるいはウエイト部材を破損させることになる。
【０００６】本発明の目的は、排出シート積載部にシートを整然と積載することができると共に、部材間の干渉を防止して、装置を小型化することができるシート排出装置及び画像形成装置を提供することにある。
【０００７】
【課題を解決するための手段】上記目的を達成するため、本発明の第１の特徴とするところは、排出口が形成された本体と、前記排出口から排出されたシートが積載される排出シート積載部と、前記排出口から排出シート積載部側へ少なくとも一部が突出し、前記排出シート積載部に排出されるシートを押える押さえ手段とを有し、この押さえ手段が前記本体に対してスライドして進退可能としたシート排出装置にある。したがって、排出シート積載部に排出されるシートは押さえ手段により押えられて排出シート積載部へ排出されるので、シートがカールしていても排出シート積載部でのシート積載が乱れるのを防止することができ、また、押さえ手段に他の部材が当接した場合は、押さえ手段がスライドするので、押さえ手段と他の部材との干渉を防止して装置を小型化することができる。
【０００８】好適には、押さえ手段は、支軸を中心として可動自在であって、自重によってシートを押える押さえ部材を有する。押さえ部材の自重によってシートを押えることができるので、構成を簡略化することができる。
【０００９】好適には、押さえ手段には、押さえ部材が所定角度で起立するように押さえ部材の回動を規制する規制手段が設けられる。規制手段がなく、例えば押さえ部材を排出口から垂れ下がるように構成した場合はシートの搬送抵抗が大きくなるが、押さえ部材を所定角度で起立させることによってシートの搬送抵抗を少なくすることができる。他の部材が押さえ部材に当接すると、押さえ部材がスライドして退避する。ここで、押さえ部材をスライドではなく、回動することによって退避させる構成も考えられるが、例えば他の部材が回動して押さえ部材に当接する場合、押さえ部材は所定角度で起立されているので、他の部材と当接する角度によっては押さえ部材を回動させることができないことがある。したがって、押さえ部材をスライドさせて退避させる方が回動させて退避させるよりも、押さえ部材の起立角度を自由に設計できる点で好ましい。
【００１０】好適には、押さえ手段は、押さえ部材を回動自在に支持するスライド部材を有する。このスライド部材は、他の部材が押さえ部材に当接して押圧する力により押さえ部材と共にスライドして押さえ部材を退避させる。このように他の部材の押圧力を利用して押さえ部材を退避させることができるので、押さえ部材を移動させるためにモータ等を設ける必要はなく、あるいは押さえ部材との干渉を避けるための特別な設計変更を他の部材に対して求める必要がない。
【００１１】好適には、押さえ手段には、前記スライド部材を排出シート積載部側へ付勢する付勢手段が設けられる。したがって、押さえ部材の退避が終わった後は押さえ部材を付勢手段の付勢力により自動的に元の位置に戻すことができる。
【００１２】好適には、前記スライド部材には前記排出シート積載部に排出されるシートを案内するガイド部が設けられる。したがって、押さえ部材を大きくした場合でも押さえ部材を覆うようなシートガイドを別途設ける必要がなく、部品点数を削減することができる。
【００１３】本発明の第２の特徴とするところは、排出口が形成された本体と、この本体に対して開閉自在に支持され、前記排出口から排出されたシートが積載される排出シート積載部と、前記排出口から排出シート積載部側へ少なくとも一部が突出し、前記排出シート積載部に排出されるシートを押える押さえ手段とを有し、前記排出シート積載部が開かれた場合に、前記排出シート積載部と前記押さえ手段とが干渉するのを防止するようにしたシート排出装置にある。したがって、排出シート積載部に排出されるシートは押さえ手段により押えられて排出シート積載部へ排出されるので、シートがカールしていても排出シート積載部でのシート積載が乱れるのを防止することができ、また、排出シート積載部を開いて排出シート積載部が押さえ手段に当接した場合は、押さえ手段と排出シート積載部との干渉を防止して装置を小型化することができる。
【００１４】好適には、押さえ手段は、前記本体に対してスライドして進退可能にさせる。
【００１５】また、前記排出シート積載部に退避部が形成され、前記排出シート積載部が開かれた場合に、前記押さえ手段が前記退避部に入り込むようにしてもよい。
【００１６】本発明の第３の特徴とするところは、排出口が正面方向に開口するように形成された画像形成装置本体と、前記画像形成装置本体に対して着脱自在であるよう画像形成装置本体内に収容されたプロセスカートリッジと、前記排出口近傍に回動中心を有し、前記プロセスカートリッジを前記画像形成装置本体内に脱着できるように前記画像形成装置本体に開閉自在に支持され、前記排出口から排出されたシートが積載される排出シート積載部と、前記排出口から排出シート積載部側へ少なくとも一部が突出し、前記排出シート積載部に排出されるシートを押える押さえ手段とを有し、前記排出シート積載部が開かれた場合に、前記排出シート積載部と前記押さえ手段とが干渉するのを防止して小型化するようにした画像形成装置にある。したがって、排出シート積載部に排出されるシートは押さえ手段により押えられて排出シート積載部へ排出されるので、シートがカールしていても排出シート積載部でのシート積載が乱れるのを防止することができ、また、排出シート積載部を開いて排出シート積載部が押さえ手段に当接した場合は、押さえ手段と排出シート積載部との干渉を防止することができるので装置を小型化した場合でも操作性を損なうことがなく、正面から排出シート積載部を開閉してプロセスカートリッジを画像形成装置本体から脱着することができ、操作性が良好である。
【００１７】本発明の第４の特徴とするところは、排出口が正面方向に開口するように形成された画像形成装置本体と、この画像形成装置本体の正面から引き出し自在に前記画像形成装置本体に装着された給紙カセットと、前記画像形成装置本体に対して着脱自在であるよう画像形成装置本体内に収容されたプロセスカートリッジと、前記排出口近傍に回動中心を有し、前記プロセスカートリッジを前記画像形成装置本体内に脱着できるように前記画像形成装置本体に開閉自在に支持され、前記排出口から排出されたシートが積載される排出シート積載部と、前記プロセスカートリッジの側方を横切り、前記給紙カセットからシートを前記排出シート積載部まで搬送する搬送路と、前記排出口から排出シート積載部側へ少なくとも一部が突出し、前記排出シート積載部に排出されるシートを押える押さえ手段とを有し、前記排出シート積載部が開かれた場合に、前記排出シート積載部と前記押さえ手段とが干渉するのを防止して小型化するようにした画像形成装置にある。したがって、排出シート積載部に排出されるシートは押さえ手段により押えられて排出シート積載部へ排出されるので、シートがカールしていても排出シート積載部でのシート積載が乱れるのを防止することができ、また、排出シート積載部を開いて排出シート積載部が押さえ手段に当接した場合は、押さえ手段と排出シート積載部との干渉を防止することができるので装置を小型化した場合でも操作性を損なうことがなく、正面から排出シート積載部を開閉してプロセスカートリッジを画像形成装置本体から脱着することができ、且つ正面から給紙カセットの出し入れを行うことができるので、操作性が良好である。
【００１８】
【発明の実施の形態】次に本発明の実施形態を図面に基づいて説明する。
図１及び図２において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に排出シート積載部１６が設けられていると共に、この画像形成装置本体１２の下部に例えば２段の給紙ユニット１８，１８が配置できるようになっている。
【００１９】それぞれの給紙ユニット１８は、給紙ユニット本体２０と、記録媒体が収納される給紙カセット２２とを有する。給紙カセット２２は、給紙ユニット本体２０に対して摺動自在に装着され、正面方向（図１の右方向）に引き出される。また、給紙カセット２２の奥端近傍上部にはピックアップロール２４が配置され、このピックアップロール２４の後方にリタードロール２６及びフィードロール２８が配置されている。
【００２０】搬送路３２は、最下端の給紙ユニット１８のピックアップロール２４から排出口３４までの記録媒体通路であり、この搬送路３２は、画像形成装置本体１２の裏面（図１の左側面）近傍にあって、最下端の給紙ユニット１８のピックアップロール２４から後述する定着ユニット３６まで略鉛直に形成されている部分を有する。この搬送路３２の鉛直部分が後述するプロセスカートリッジ６４の側方を横切るようになっている。また、この搬送路３２の定着ユニット３６の上流側に後述する転写装置４２とプロセスカートリッジ６４内の像担持体４４が配置され、さらに転写装置４２と像担持体４４の上流側にレジストロール３８が配置されている。さらに、搬送路３２の排出口３４の近傍には排出ロール４０が配置されている。
【００２１】したがって、給紙ユニット１８の給紙カセット２２からピックアップロール２４により送り出されたシートは、リタードロール２６及びフィードロール２８により捌かれて搬送路３２に導かれ、レジストロール３８により一次停止され、タイミングをとって後述する転写装置４２と像担持体４４との間を通って現像剤像が転写され、この転写された現像剤像が定着ユニット３６により定着され、排出ロール４０により排出口３４から排出シート積載部１６へ排出される。
【００２２】ただし、両面印刷の場合は、反転路に戻される。即ち、搬送路３２の排出ロール４０の手前は２股に別れ、その分かれた部分に切換爪４６が設けられていると共に、分かれた部分からレジストロール３８まで戻る反転路４８が形成されている。この反転路４８には搬送ロール５０ａ〜５０ｃが設けられており、両面印刷の場合には、切換爪４６が反転路４８を開く側に切り換えられ、排出ロール４０に記録媒体の後端手前がかかる時点で排出ロール４０が反転し、記録媒体が反転路４８に導かれ、レジストロール３８、転写装置４２と像担持体４４及び定着ユニット３６を通って排出口３４から排出シート積載部１６へ排出されるものである。
【００２３】前述した排出口３４は、画像形成装置本体１２の正面に開口するように形成されている。排出シート積載部１６は、排出口３４の下方近傍に回動軸５２が設けられ、この回動軸５２を回動中心として画像形成装置本体１２に開閉自在に支持されている。また、この排出シート積載部１６は、排出口部分が低く、正面方向（図１の右方向）に向けて徐々に高くなるよう傾斜しており、図１で２点鎖線で示すように上方へ回動して開いたときには、開放部５４が形成され、この開放部５４を介して後述するプロセスカートリッジ６４を画像形成装置本体１２から脱着できるようにしてある。この排出シート積載部１６の開閉は、画像形成装置１０の正面側から行うことができる。
【００２４】像形成手段１４は例えば電子写真方式のもので、感光体からなる像担持体４４と、この像担持体４４を一様帯電する例えば帯電ロールからなる帯電装置５６と、この帯電装置５６により帯電された像担持体４４に、光により潜像を書き込む光書込み装置５８と、この光書込み装置５８により形成された像担持体４４の潜像をトナーにより可視化するよう現像ロールを有する現像装置６０と、この現像装置６０によるトナー像を記録媒体に転写する例えば転写ロールからなる転写装置４２と、像担持体４４に残存するトナーをクリーニングするクリーニング装置６２と、転写装置４２により転写された記録媒体上のトナー像を記録媒体に定着させる定着ユニット３６とから構成されている。光書込み装置５８は例えば走査型のレーザ露光装置からなり、後述するプロセスカートリッジ６４を横切り、像担持体４４に潜像を形成する。
なお、光書込み装置５８は、他の実施形態としてＬＥＤや面発光レーザ等を用いることができる。
【００２５】プロセスカートリッジ６４は、像担持体４４、帯電装置５６、現像装置６０及びクリーニング装置６２を一体化したものであり、これらを一体として交換できるようになっている。このプロセスカートリッジ６４は、排出シート積載部１６を開くことにより、画像形成装置本体１２から取り出すことができる。
【００２６】前述した排出口３４には、排出シート積載部１６に排出されるシートを押える２つの押さえ手段６６，６６が設けられている。２つの押さえ手段６６，６６は、排出口３４の両端部付近に設けられ、この２つの押さえ手段６６，６６より排出口３４から排出シート積載部１６へ排出されるシートの両端部付近を押えるようにしてある。シートは両端付近のカールが大きくなりやすいので、押さえ手段６６をシートの両端が通過する付近に配置することで効果的にシートのカールを矯正することができる。押さえ手段６６は、先端が排出口３４から排出シート積載部１６側へ突出した押さえ部材６８と、この押さえ部材６８を支持するスライド部材７０とを有する。
【００２７】図３乃至図６において、上述した押さえ手段６６の詳細が示されている。押さえ部材６８は、例えば四角形状のシート押さえ部７２と、このシート押さえ部７２の後端から延びる２つの連結部７４，７４とを有する。この連結部７４，７４の端部はスライド部材７０の側面部分に突出形成された支軸７６，７６に嵌合しており、押さえ部材６８がこの支軸７６，７６を介して回動自在であるようスライド部材７０に支持されている。また、シート押さえ部７２の後端中央付近上面には、ストッパ部７８が形成されており、このストッパ部７８がスライド部材７０の先端部分に当接している。したがって、押さえ部材６８は、ストッパ部７８がスライド部材７０に当接して排出シート積載部１６に向けて所定角度で起立し、シートの先端が鋭角をもって当接するようになっており、シートを搬送するための抵抗を少なくしている。シート押さえ部７２は、シートのカールを矯正するのに必要な重さに設定されている。シートのカールを矯正するためには、シート押さえ部７２の重量を重くする方が好ましいが、シート先端が通過する際の搬送抵抗からすると、逆に軽い方が好ましい。このように、押さえ部材６８は、カール矯正と搬送抵抗とのバランスを保つように、シート押さえ部７２の起立角度と重量とが設定されている。このため、図５に示すように、シートの先端がシート押さえ部７２に当接すると、押さえ部材６８は、図３又は図５の反時計方向に回動し、押さえ部材６８の自重でシートを押さえ、シートがカールしていてもそのカールを矯正し、排出シート積載部１６でシートの位置が乱れないように積載することができる。
【００２８】スライド部材７０は、上部にスライド溝８０が形成され、このスライド溝８０に画像形成装置本体１２から下方へ突出したスタッド８２が係合しており、画像形成装置本体１２に対して所定範囲内でスライドできるように支持されている。スライド部材７０の後端には、例えばコイルスプリングからなる弾性体８４が係合している。この弾性体８４の両端は、画像形成装置本体１２に固定されたフック８６，８６に係合している。したがって、スライド部材７０は、この弾性体８４により排出シート積載部１６側へ付勢されており、外部からの力が解除された場合には、押さえ手段６６を図５に示す初期位置へ戻すようにしてある。また、このスライド部材７０には、該スライド部材７０の下部でガイド部８８が形成され、このガイド部８８によりシートを案内するようになっている。
【００２９】次に上記実施形態の作用について説明する。
像担持体４４が帯電装置５６により一様に帯電され、この帯電された像担持体４４には、画像信号に基づいて光書込み装置５８から発した光が照射され、潜像が形成される。光書込み装置５８からの光は、プロセスカートリッジ６４内を通過する。この光書込み装置５８により形成された像担持体４４の潜像は現像装置６０により現像剤で可視化される。
【００３０】一方、サイズ信号等により給紙ユニット１８の一つが選択され、給紙カセット２０の一つに収納されたシートはピックアップロール２４により送り出され、レジストロール３８により一次停止され、タイミングをとって転写装置４２と像担持体４４との間に導かれる。
【００３１】このようにしてシートが転写装置４２と像担持体４４との間に導かれると、像担持体４４上の現像剤が転写装置４２により記録媒体に転写される。この現像剤が転写されたシートは、定着ユニット３６を通って記録媒体上の現像剤が記録媒体に定着され、排出シート積載部１６へ排出される。
【００３２】排出シート積載部１６へ排出されようとするシートは、スライド部材７０のガイド部８８に案内され、次に、図５に示すように、シートの先端が押さえ部材６８のシート押さえ部７２に当接し、押さえ部材６８を支軸７６を支点としてシートが通過する分だけ反時計方向へ回動させる。シートの先端がシート押さえ部７２を通過し、シートが排出シート積載部１６に排出されると、シート押さえ部７２の自重によりシート押さえ部７２の先端がシート後端のカールを下方に押し付ける。これによりシートのカールが矯正されて後続シートの先端が前のシートの下に潜り込んだり、前のシートを排出シート積載部１６から押し出すことが防止できる。このようにして次々とシートが排出シート積載部１６へ排出されるが、押さえ手段６６によりシートのカールが矯正されるので、排出シート積載部１６においてはシートが乱れることなく積載されるものである。
【００３３】前述したように、プロセスカートリッジ６４は、回動軸５２を支点として排出シート積載部１６を開くことにより、画像形成装置本体１２から脱着される。排出シート積載部１６を開くと、図６に示すように、排出シート積載部１６が押さえ部材６８に当接する。しかしながら、排出シート積載部１６が押さえ部材６８に当接すると、排出シート積載部１６からの押圧力を受けて押さえ手段６６が弾性体８４に抗して後退するので、排出シート積載部１６と押さえ手段６６とは干渉することなく、排出シート積載部１６を画像形成装置本体１２に当接するまで開くことができ、装置を小型化した場合でもプロセスカートリッジ６４の脱着を容易に行うことができる。
【００３４】図７において、本発明の他の実施形態が示されている。この実施形態においては、押さえ手段６６は、画像形成装置本体１２に対してスライドせず固定である。即ち、押さえ部材６８は、画像形成装置本体１２に固定された固定部材９０に支軸７６をもって回動自在に支持されている。固定部材９０の下部には、シートを案内するためのガイド部８８が形成されている。一方、排出シート積載部１６には、押さえ部材６８に対応して退避部９２が形成されている。この退避部９２は、例えば押さえ部材６８側が凹んだ窪みとして形成され、排出シート積載部１６が開かれた場合、シート押さえ部７２の先端がこの退避部９２に入り込むようになっており、排出シート積載部１６と押さえ手段６６との干渉が防止されるものである。
【００３５】図８において、本発明の他の実施形態が示されている。画像形成装置１０は、例えば４段の給紙ユニット１８が設けられ、最上段の給紙ユニット１８の側面には手差し給紙トレイ９４が画像形成装置本体１２に対して開閉自在に設けられている。また、画像形成装置１０の上部には、シート排出装置を構成する例えばソータユニット９６が配置されている。このソータユニット９６には、ソータ本体９８に多数の排出シート積載部１６が設けられている。これら排出シート積載部１６へ排出されるシートを押える押さえ手段を設けることができる。
【００３６】なお、上記実施形態においては、押さえ手段６６に当接する部材が排出シート積載部である例について説明したが、これに限定されるものではなく、他の部材であってもよいし、開閉動作する以外に移動動作するものであってもよい。また、上記実施形態にあっては、画像形成装置のシート排出装置について説明したが、シート排出装置単独でも本発明を適用することができるものである。
【００３７】
【発明の効果】以上述べたように、本発明によれば、シートがカールしていても排出シート積載部でのシート積載が乱れるのを防止することができ、また、押さえ手段と他の部材との干渉を防止して、押さえ手段と他の部材を配置することができるので、装置の小型化に寄与することができる。
【図面の簡単な説明】
【図１】本発明の実施形態に係る画像形成装置を示す断面図である。
【図２】本発明の実施形態に係る画像形成装置の斜視図である。
【図３】本発明の実施形態における押さえ手段を示す側面図である。
【図４】本発明の実施形態における押さえ手段を示す平面図である。
【図５】本発明の実施形態において、シートが排出口から排出シート積載部へ排出される状態を示す断面図である。
【図６】本発明の実施形態において、排出シート積載部を開いた状態を示す断面図である。
【図７】本発明の他の実施形態において、排出シート積載部を開いた状態を示す断面図である。
【図８】本発明のさらに他の実施形態に係る画像形成装置を示す側面図である。
【符号の説明】
１０    画像形成装置
１２    画像形成装置本体
１４    像形成手段
１６    排出シート積載部
２０    給紙カセット
３２    搬送路
３４    排出口
６４    プロセスカートリッジ
６６    押さえ手段
６８    押さえ部材
７０    スライド部材
７２    シート押さえ部
７６    支軸
７８    ストッパ部
８４    弾性体
８８    ガイド部
９２    退避部
９６    ソータユニット
９８    ソータ本体
【図１】
2004323131.tif 000003
【図２】
2004323131.tif 000004
【図３】
2004323131.tif 000005
【図４】
2004323131.tif 000006
【図５】
2004323131.tif 000007
【図６】
2004323131.tif 000008
【図７】
2004323131.tif 000009
【図８】
2004323131.tif 000010